(57)【要約】【課題】ブラシホルダのラジアル方向の位置決めを簡単かつ確実に行うことができるモータを提供する。【解決手段】内周面１１ｅにマグネット１３を固着した筒状のヨーク１１と、このヨーク１１の開口端に１１ｃ固定されたカバー２０と、カバー２０内に収納され、中央にコンミュテータ１７が貫通する円形の貫通孔３１ａを形成した合成樹脂製のブラシホルダ３０と、このブラシホルダの貫通孔３１ａを挾むように少なくとも一対形成されたブラシ収納部３２，３２に出没自在に収納されたブラシ３４とを備えたモータ１０において、ブラシホルダ３０には、貫通孔３１ａを挾んだ位置に円環状に突出したリブ３３ａからなる一対の係合凹部３３，３３を形成し、カバー３０の内面には、各係合凹部３３に対向した位置に係止突起２１ｅを形成し、各係合凹部３３に各係止突起２１ｅを嵌め込むことでカバー２０に対してブラシホルダ３０を位置決めした。【選択図】図２
2008167531.tif 000002
【特許請求の範囲】
【請求項１】
内周面にマグネットを固着した筒状のヨークと、このヨークの開口端に固定されたケースと、このケース内に収納され、中央にコンミュテータが貫通する円形の貫通孔を形成した合成樹脂製のブラシホルダと、このブラシホルダの貫通孔を挾むように少なくとも一対形成されたブラシ収納部に出没自在に収納されたブラシとを備えたモータにおいて、
前記ブラシホルダには、前記貫通孔を挾んだ位置に円環状に突出したリブからなる一対の係合凹部を形成し、前記ケースの内面には、前記各係合凹部に対向した位置に係止突起を形成し、前記各係合凹部に前記各係止突起を嵌め込むことで前記ケースに対して前記ブラシホルダを位置決めしたことを特徴とするモータ。
【請求項２】
請求項１記載のモータであって、
前記各係合凹部を前記各ブラシ収納部の背後に対してずれた位置に形成したことを特徴とするモータ。
【発明の詳細な説明】
【技術分野】
【０００１】
本発明は、ヨークの開口端にケースを介して取り付けられる合成樹脂製のブラシホルダを備えたモータに関する。
【背景技術】
【０００２】
この種のモータとして、図９，図１０に示すものがある（例えば、特許文献１参照。）。このモータ１は、図１０に示すように、円筒状のヨーク２と、このヨーク２の後側の開口端２ａに固定されるカバーとしての金属製のリアブラケット３と、このリアブラケット３内に取り付けられる合成樹脂製のブラシホルダ４とを備えている。
【０００３】
図９，図１０に示すように、リアブラケット３は有底円筒状に形成されており、その内側底部３ａに位置決め突起３ｂを一体形成してある。この位置決め突起３ｂはブラシホルダ４の位置決め孔４ｂに嵌合してある。これにより、ブラシホルダ４の周（ラジアル）方向の位置決めがなされている。このブラシホルダ４は合成樹脂により円板状に形成してあり、その内側に６つのブラシ収納部４ａを放射状にかつ軸方向に延びるようにそれぞれ一体形成してある。この各ブラシ収納部４ａにはブラシ５を出没自在に収納してある。
【０００４】
また、図９，図１０に示すように、ヨーク２の開口端２ａとリアブラケット３との間には、金属製でリング板状のアース端子６を固定してある。このアース端子６には係止片６ａを延設してあり、この係止片６ａには嵌合孔６ｂを形成してある。この係止片６ａの嵌合孔６ｂには、ブラシホルダ４の位置決め孔４ｂを貫通して突出したリアブラケット３の位置決め突起３ｂが嵌合されるようになっている。これにより、アース端子６はブラシホルダ４と共に周方向に位置決めされるようになっている。また、アース端子６の係止片６ａにてブラシホルダ４の軸方向の抜け止めが行われるようになっている。
【０００５】
【特許文献１】特開２００３−２８９６５１号公報
【発明の開示】
【発明が解決しようとする課題】
【０００６】
しかしながら、前記従来のモータ１では、ブラシホルダ４のリアブラケット３の内側底部３ａに形成した一箇所の位置決め突起３ｂに対向する位置に位置決め孔４ｂを形成するため、この位置決め孔４ｂのスペースがブラシホルダ４に必要となる。そのため、小型モータにおいて、この構造を適用することは困難なものとなっていた。
【０００７】
そこで、本発明は、前記した課題を解決すべくなされたものであり、小型のモータにおいて、ブラシホルダのラジアル方向の位置決めを簡単かつ確実に行うことができるモータを提供することを目的とする。
【課題を解決するための手段】
【０００８】
請求項１の発明は、内周面にマグネットを固着した筒状のヨークと、このヨークの開口端に固定されたケースと、このケース内に収納され、中央にコンミュテータが貫通する円形の貫通孔を形成した合成樹脂製のブラシホルダと、このブラシホルダの貫通孔を挾むように少なくとも一対形成されたブラシ収納部に出没自在に収納されたブラシとを備えたモータにおいて、前記ブラシホルダには、前記貫通孔を挾んだ位置に円環状に突出したリブからなる一対の係合凹部を形成し、前記ケースの内面には、前記各係合凹部に対向した位置に係止突起を形成し、前記各係合凹部に前記各係止突起を嵌め込むことで前記ケースに対して前記ブラシホルダを位置決めしたことを特徴とする。
【０００９】
請求項２の発明は、請求項１記載のモータであって、前記各係合凹部を前記各ブラシ収納部の背後に対してずれた位置に形成したことを特徴とするモータ。
【発明の効果】
【００１０】
以上説明したように、請求項１の発明によれば、ブラシホルダには、貫通孔を挾んだ位置に円環状に突出したリブからなる一対の係合凹部を形成し、ケースの内面には、各係合凹部に対向した位置に係止突起を形成し、各係合凹部に各係止突起を嵌め込むことでケースに対してブラシホルダを位置決めしたことにより、合成樹脂製のブラシホルダを用いた小型モータにおいて、ブラシホルダに位置決めのための孔を設けるためのスペースを必要とせず、ブラシホルダのラジアル方向の位置決めを簡単かつ確実に行うことができる。これにより、ブラシホルダのラジアル方向のガタ付きを確実に防止することができると共に、振動、異音等の発生を確実に防止することができる。また、合成樹脂製のブラシホルダに円環状に突出したリブを設けることで、ブラシホルダの剛性を向上することができる。
【００１１】
請求項２の発明によれば、各係合凹部を各ブラシ収納部の背後に対してずれた位置に形成したことにより、合成樹脂によるブラシホルダ成型時に、円環状に突出したリブを形成した際のブラシ収納部への収縮等の影響を抑制することができる。
【発明を実施するための最良の形態】
【００１２】
以下、本発明の一実施形態を図面に基づいて説明する。
【００１３】
図１は本発明の一実施形態のモータを示す斜視図、図２は同モータの分解斜視図、図３は同モータのカバーを取り付ける前の状態をカバー側から見た斜視図、図４は同モータのカバーを取り付ける前の状態をキャップ側から見た斜視図、図５は同モータの正面図、図６は同モータのターミナルホルダ収納部の縦断面図、図７は同モータのコネクタ部の横断面図、図８は同モータに用いられるターミナルホルダの斜視図である。
【００１４】
図１〜図４に示すように、モータ１０は、両側が開口した金属製で円筒状のヨーク１１と、このヨーク１１の後側の開口端１１ａに加締め固定される合成樹脂製のキャップ１２と、ヨーク１１の前側の開口端１１ｃに加締め固定される合成樹脂製で有底円筒状のカバー２０と、これらヨーク１１の前側の開口端１１ｃとカバー２０との間に挾持固定される合成樹脂製のブラシホルダ３０とを備えており、例えば、車両のシートをスライドさせるシートスライド機構の駆動源として用いられるものである。
【００１５】
図２に示すように、円筒状のヨーク１１の内周面１１ｅには、一対のマグネット１３，１３が接着剤等を介して固着されている。また、図４に示すように、キャップ１２の中央には円形の貫通孔１２ａを形成してあり、その周りの円筒部１２ｂの内側には図示しない軸受を配設してある。さらに、図２，図４に示すように、カバー２０の中央には円形の貫通孔２２ａを形成してあり、その周りの円筒部２２ｂの内側には軸受１４を嵌合してある。そして、この各軸受１４には、両側出力軸タイプのアーマチュア軸１５の両端１５ａ，１５ａを回転自在に支持してある。また、このアーマチュア軸１５の両端１５ａ，１５ａの各端面の中央には角穴１５ｂをそれぞれ形成してある。この各角穴１５ｂには図示しないシートスライド機構の棒状のケーブル等が連結されるようになっている。
【００１６】
また、図２に示すように、アーマチュア軸１５の一対のマグネット１３，１３に対向する位置には、アーマチュアコアとアーマチュアコイルから成るアーマチュア１６が取り付けられている。さらに、アーマチュア軸１５のヨーク１１の前側の開口端１１ｃに対向する位置には、コンミュテータ１７が固定されている。このコンミュテータ１７は所定数のコンミュテータ片１７ａを備えている。尚、図２に示すように、アーマチュア軸１５の一端１５ａのコンミュテータ１７と軸受１４との間にはワッシャ１８と円環状の弾性体１９等を介在してある。
【００１７】
図２〜図４に示すように、ヨーク１１の前側の開口端１１ｃに加締めにより固定されるカバー（ケース）２０内には合成樹脂製で略円板状のブラシホルダ３０が収納されるようになっている。このカバー２０は、図１〜図４に示すように、ブラシホルダ３０を収納する円筒壁部２１と、この円筒壁部２１の上部の前方に一体突出形成され、給電用の相手コネクタ５０が嵌合される底壁２４を有した四角筒状のコネクタ部２３と、このコネクタ部２３の底壁２４の背面側に一体形成され、後述するターミナルホルダ４０を着脱自在に収納する上面側が開口した凹状のターミナルホルダ収納部２５とを有している。そして、カバー２０の円筒壁部２１の底壁２２の中央に円形の貫通孔２２ａを形成してある。また、カバー２０の円筒壁部２１の両外側には上下各一対の段差部２１ａ，２１ｂを形成してある。この上下各一対の段差部２１ａ，２１ｂには、ヨーク１１の前側の開口端１１ｃの両側に形成された上下各一対の加締め片部１１ｆ，１１ｇが加締められて係止されるようになっている。これにより、カバー２０はブラシホルダ３０を収納・挾持してヨーク１１の前側の開口端１１ｃに固定されるようになっている。
【００１８】
また、図４に示すように、カバー２０の円筒壁部２１の内周面（内面）２１ｃの相対向する位置にはブラシホルダ３０のブラシホルダ本体３１の両側部を当接させる一対の当接部２１ｄ，２１ｄを一体突出形成してある。この一対の当接部２１ｄ，２１ｄの貫通孔２２ａを挾んで上下斜めの対称位置には円柱状の係止突起（位置決め係止部）２１ｅ，２１ｅをそれぞれ一体突出形成してある。
【００１９】
図２，図３に示すように、ブラシホルダ３０は、一対のブラシ３４，３４を保持する略合成樹脂製で円板状のブラシホルダ本体３１を有している。このブラシホルダ本体３１の中央には円形の貫通孔３１ａを形成してある。このブラシホルダ本体３１の貫通孔３１ａを挾む相対向する位置の左右両側には、箱状の一対のブラシ収納部３２，３２を形成してある。この各ブラシ収納部３２内にはブラシ３４を出没自在に収納していて、該ブラシ３４は図示しない捩りコイルバネ（付勢手段）によりコンミュテータ１７のコンミュテータ片１７ａに接触するように押圧付勢されている。また、ブラシホルダ本体３１の前面の貫通孔３１ａを挾んだ対称位置、即ち、カバー２０の一対の係止突起２１ｅ，２１ｅに相対向する位置には、円環状に突出したリブ３３ａから成る係合凹部（位置決め係合部）３３を形成してある。この各係合凹部３３にはカバー２０の各円柱状の係止突起２１ｅが嵌合されるようになっている。この際、円環状に突出したリブ３３ａは、一対のブラシ収納部３２，３２の背後に対してずれた位置に配置されている。
【００２０】
また、図２に示すように、ブラシホルダ３０のブラシホルダ本体３１の上，下部の両側には各一対の突出片３１ｂ，３１ｂをそれぞれ一体突出形成してある。この各一対の突出片３１ｂ，３１ｂはヨーク１１の前側の開口端１１ｃとカバー２０の円筒壁部２１の端部２１ｇに挾持されるようになっていると共に、該各一対の突出片３１ｂ，３１ｂはカバー２０の円筒壁部２１の端部２１ｇの各凹部２１ｈに挾持されて位置決めされるようになっている。これにより、ブラシホルダ本体３１はヨーク１１の前側の開口端１１ｃとカバー２０の円筒壁部２１の端部２１ｇとの間に挾持されて固定されるようになっている。
【００２１】
さらに、図２，図３，図７に示すように、ブラシホルダ３０のブラシホルダ本体３１の上部には、一つのターミナル３５の基部３５ａが嵌合される端子固定孔部３１ｃを形成してあると共に、４つのターミナル３６の基部３６ａの丸孔が貫通されて熱溶着されるボス状の溶着部３１ｄをそれぞれ一体突出形成してある。図５〜図７に示すように、各ターミナル３５，３６は、カバー２０のコネクタ部２３の底壁２４に形成された端子貫通孔２４ａに貫通されて該コネクタ部２３内に所定長突出している。また、図７に示すように、各ターミナル３５，３６の中途部３５ｂ，３６ｂに切欠き３５ｄ，３６ｄを有する凸部３５ｃ，３６ｃを形成してある。そして、各ターミナル３５，３６の凸部３５ｃ，３６ｃの切欠き３５ｄ，３６ｄは、カバー２０の凹状のターミナルホルダ収納部２５に着脱自在に取り付けられた後述するターミナルホルダ４０によりそれぞれ保持されるようになっている。
【００２２】
図２，図６〜図８に示すように、ターミナルホルダ４０は合成樹脂製のターミナルホルダ本体４１を有している。このターミナルホルダ本体４１は、カバー２０のコネクタ部２３の底壁２４の背面側に形成された凹状のターミナルホルダ収納部２５の上面開口より該凹状のターミナルホルダ収納部２５内に嵌め込まれて複数のターミナル３５，３６をそれぞれ保持するようになっている。
【００２３】
図２，図６，図８に示すように、ターミナルホルダ本体４１の両側には、可撓性アーム４２，４２をそれぞれ一体突出形成してある。この各可撓性アーム４２の中途部４２ａには、ターミナルホルダ収納部２５の両側壁２５ａ，２５ａに形成された各鉤部（係合部）２５ｂに着脱自在に係止される係止爪（係止部）４３を一体突出形成してある。また、各可撓性アーム４２の先端部４２ｂには、取り外し治具用の治具装着孔（治具装着部）４４を形成してある。図５に示すように、この各可撓性アーム４２の治具装着孔４４は、カバー２０のコネクタ部２３の底壁２４の両下側に形成された各開口部２４ｂ，２４ｂから露出するようになっている。さらに、ターミナルホルダ本体４１の底面４１ａには、各ターミナル３５，３６の凸部３５ｃ，３６ｃの切欠き３５ｄ，３６ｄに係止される棒状及びＴ字状の突起４５，４６，４７をそれぞれ一体突出形成してある。
【００２４】
尚、図６に示すように、カバー２０のコネクタ部２３の底壁２４の背面側に形成された凹状のターミナルホルダ収納部２５の底壁２５ｃには、各ターミナル３５，３６の凸部３５ｃ，３６ｃに当たる当接部２５ｄをそれぞれ一体突出形成してある。また、複数のターミナル３５，３６のうち両側の各ターミナル３５，３６はモータ駆動用（電源用）であり、内側の３本の各ターミナル３６，３６，３６はセンサ用（回転位置検出用）である。さらに、図１，図４に示すように、ヨーク１１の後側の開口端１１ａには所定間隔毎に加締め片部１１ｈを突出形成してある。この各加締め片部１１ｈをキャップ１２の各凹部１２ｃに加締めることにより、ヨーク１１の後側の開口端１１ａにキャップ１２が固定されるようになっている。
【００２５】
以上実施形態のモータ１０によれば、図４に示すように、カバー２０の円筒壁部２１の内周面２１ｃには、ブラシホルダ３０のブラシホルダ本体３１の両側を当接させる一対の当接部２１ｄ，２１ｄを形成し、この一対の当接部２１ｄ，２１ｄに円柱状の係止突起２１ｅをそれぞれ一体突出形成し、ブラシホルダ本体３１の貫通孔３１ａを挾んだ対称位置に各円柱状の係止突起２１ｅが係止される係合凹部３３をそれぞれ形成し、この各円柱状の係止突起２１ｅに各係合凹部３３を嵌め込んで、カバー２０に対してブラシホルダ３０を位置決めしたことにより、合成樹脂製のブラシホルダ３０を用いた小型モータにおいてブラシホルダ３０に位置決めのための孔を設けるためのスペースを必要とせず、ブラシホルダ３０のラジアル方向の位置決めを簡単かつ確実に行うことができる。これにより、ブラシホルダのラジアル方向のガタ付きを確実に防止することができると共に、振動、異音等の発生を確実に防止することができる。また、合成樹脂製のブラシホルダ３０に円環状に突出したリブ３３ａを設けることで、ブラシホルダ３０の剛性を向上することができる。
【００２６】
特に、カバー２０の各当接部２１ｄに円柱状の係止突起２１ｅを一体突出形成すると共に、ブラシホルダ３０のブラシホルダ本体３１の両側に円環状に突出したリブ３３ａから成る係合凹部３３をそれぞれ形成し、この各係合凹部３３を各ブラシ収納部３２の背後に対してずれた位置に形成したことにより、合成樹脂によるブラシホルダ３０の成型時に、円環状に突出したリブ３３ａを形成した際のブラシ収納部３２への収縮等の影響を抑制することができ、円滑なブラシ３４のブラシ収納部３２内での摺動を得ることができる。
【００２７】
尚、本実施形態においては、ケースとしてのカバー２０にブラシホルダ３０を収納したが、他にカバー内に減速機構を収納することも可能であり、この場合は、ブラシホルダの収納部と減速機構との間にカバーの内面を配置すればよい。
【図面の簡単な説明】
【００２８】
【図１】本発明の一実施形態のモータを示す斜視図である。
【図２】上記モータの分解斜視図である。
【図３】上記モータのカバーを取り付ける前の状態をカバー側から見た斜視図である。
【図４】上記モータのカバーを取り付ける前の状態をキャップ側から見た斜視図である。
【図５】上記モータの正面図である。
【図６】上記モータのターミナルホルダ収納部の縦断面図である。
【図７】上記モータのコネクタ部の横断面図である。
【図８】上記モータに用いられるターミナルホルダの斜視図である。
【図９】従来のモータのブラシホルダをコンミュテータ側から見た側面図である。
【図１０】図９中Ｘ−Ｘ線に沿う断面図である。
【符号の説明】
【００２９】
１０  モータ
１１  ヨーク
１１ｃ  開口端
１１ｅ  内周面
１３  マグネット
１７  コンミュテータ
２０  カバー（ケース）
２１ｃ  内周面（内面）
２１ｄ，２１ｄ  一対の当接部
２１ｅ  円柱状の係止突起（位置決め係止部）
３０  ブラシホルダ
３１ａ  貫通孔
３２，３２  一対のブラシ収納部
３３  係合凹部（位置決め係合部）
３３ａ  円環状のリブ
３４  ブラシ
【図１】
2008167531.tif 000003
【図２】
2008167531.tif 000004
【図３】
2008167531.tif 000005
【図４】
2008167531.tif 000006
【図５】
2008167531.tif 000007
【図６】
2008167531.tif 000008
【図７】
2008167531.tif 000009
【図８】
2008167531.tif 000010
【図９】
2008167531.tif 000011
【図１０】
2008167531.tif 000012
【手続補正書】
【提出日】平成19年1月22日(2007.1.22)
【手続補正１】
【補正対象書類名】図面
【補正対象項目名】全図
【補正方法】変更
【補正の内容】
【図１】
2008167531.tif 000013
【図２】
2008167531.tif 000014
【図３】
2008167531.tif 000015
【図４】
2008167531.tif 000016
【図５】
2008167531.tif 000017
【図６】
2008167531.tif 000018
【図７】
2008167531.tif 000019
【図８】
2008167531.tif 000020
【図９】
2008167531.tif 000021
【図１０】
2008167531.tif 000022